(57)【要約】      （修正有）【課題】移動時に常に手を上げておく必要がなく、また、特定箇所も明るく照らすことができるようにしたライト付きの手袋を提供する。【解決手段】手袋１０と、手袋の甲に固定されるライトユニット２０とから構成されるライト付き手袋Ｘにおいて、ライトユニット２０は、指先側に向かう指向性のある光を照射する第一ライト２２と、少なくとも甲面に平行な方向に拡散する光を照射する第二ライト２３とを有するよう構成する。【選択図】図１
0003169266.tif 000002
【実用新案登録請求の範囲】
【請求項１】
手袋と、
手袋の甲に固定されるライトユニットであって、
指先側に向かう指向性のある光を照射する第一ライトと、少なくとも甲面に平行な方向に拡散する光を照射する第二ライトとを有するライトユニットと
からなるライト付き手袋。
【請求項２】
前記ライトユニットには、前記第一ライトの点灯と前記第二ライトの点灯を切り替える切り替えスイッチが設けられる請求項１に記載のライト付き手袋。
【請求項３】
前記第二ライトは、透明の板体と、当該板体を挟むように設けられる板体の内部側に向かう反射体と、両反射体の間に光を照射する光源とからなる請求項１又は２に記載のライト付き手袋。
【考案の詳細な説明】
【技術分野】
【０００１】
本考案は、ライトが設けられた手袋に関する。
【背景技術】
【０００２】
暗い場所で作業する場合、通常ライトを携帯する必要がある。このようなライトとしてヘッド型のライトは長時間使用するとライトを固定するベルトが頭を締め付けつけ頭痛の原因となったり、これを避けるためにヘルメットの着用が必要となったりするといった問題がある。また、手で持つ懐中電灯型のものは片手が塞がってしまい、作業性が悪いという問題がある。さらに、胸ポケットに固定するライトもあるが、これは首を動かすと視線の方向と照射方向がずれてしまうので、周囲を見るために体全体を回転させなければならない。
このような問題に対して、下記特許文献には手袋にライトを設けることが示されている。手袋にライトを設けると、手が締め付けられて痛くなるということはなく、また、ライトを設けた手袋をした手でも作業が可能であり、ライトの方向も手を動かせばよいのでスムーズに行なうことができる。
下記、特許文献１に記載の考案は指向性のあるライトを手の甲に設ける構造をしており、ライトの方向を変更可能なことが示されている。上記特許文献２、３に記載の考案は、自転車を載るときの指示器の代わりであったり、点滅により手の位置を他者に示したりするために、手袋の甲に甲に垂直な方向に向けたライトが設けられた構造をしている。また、特許文献４に記載の考案は、指先での作業を容易にするために指先にライトを設けた構造を採用している。
【先行技術文献】
【特許文献】
【０００３】
【特許文献１】特開２００７−２２４４６２号公報
【特許文献２】実用新案登録第３０９０６３８号公報
【特許文献３】実用新案登録第３１５７３３０号公報
【特許文献４】特開２００４−３１６０５０号公報
【考案の概要】
【考案が解決しようとする課題】
【０００４】
ところで、暗い建物内や夜の森などで作業を行う場合、移動しながら進行方向や周囲を照らすとともに、距離の離れた特定箇所を明るく照らす必要が生じる。ここで上記特許文献１や４に記載の発明の場合、進行方向を照らすためには常に手を上げて置く必要があり、腕が疲れてしまうという問題がある。一方、上記特許文献２、３に記載の発明において、ライトが拡散性のあるものであれば手を下げていても前方を含めて周囲を照らすことが可能であるが、距離の離れた特定の箇所を十分明るく照らすことは難しい。なお、上記特許文献２、３に記載の発明において、ライトが指向性のあるライトである場合は、特許文献１、４と同様の問題を生じる。
本考案は、このような問題に鑑み、ライト付きの手袋において、移動時に常に手を上げておく必要がなく、また、特定箇所も明るく照らすことができるようにすることを課題とする。
【課題を解決するための手段】
【０００５】
上記課題を解決するために本考案は、次のような構成を有する。
請求項１に記載の考案は、手袋と、手袋の甲に固定されるライトユニットとから構成されるライト付き手袋であり、ライトユニットは、指先側に向かう指向性のある光を照射する第一ライトと、少なくとも甲面に平行な方向に拡散する光を照射する第二ライトとを有するものである。
請求項２に記載の考案は、前記ライト付き手袋において、前記ライトユニットには、前記第一ライトの点灯と前記第二ライトの点灯を切り替える切り替えスイッチが設けられるものである。
請求項３に記載の考案は、前記ライト付き手袋において、前記第二ライトは、透明の板体と、当該板体を挟むように設けられる板体の内部側に向かう反射体と、両反射体の間に光を照射する光源とからなるものである。なお、反射体は反射板や反射シートによって形成される他、透明な板体に金属を蒸着させたり、反射性のある塗料を塗布することで形成することもできる。
【考案の効果】
【０００６】
以上のような構成により、本考案は次のような効果を奏する。
請求項１に記載の考案は、第二ライトは甲面に平行な方向に拡散する光を照射するので、腕が疲れないように、手を下げていても手のひらを体側に向けておけば、前方側を照らすことができ、特定の遠方などを照らす場合には、指向性のある第一ライトを用いて指先側を特定対象に向けることで、特定対象を明るく照らすことができる。
請求項２に記載の考案は、第一ライトと第二ライトを切り替える切り替えスイッチを設けることで、使用場面に応じてライトを切り替えることで、電池の消耗を低減させることができる。
請求項３に記載の考案は、第二ライトの光源を反射板に挟まれた透明な板体内部を照らすような構造とすることで、透明な板体の縁部に光を集中させることができるので、手の甲に平行な方向の光をより明るくすることができる。
【図面の簡単な説明】
【０００７】
【図１】実施形態に係るライト付き手袋の平面図である。
【図２】実施形態に係るライト付き手袋の側面図である。
【図３】第二ライトの拡大縦断面図である。
【考案を実施するための形態】
【０００８】
以下、本考案の実施の形態について、図面を参照しながら説明する。
図１に本実施形態に係るライト付き手袋Ｘの平面図を示し、図２にライト付き手袋Ｘの側面図を示す。ライト付き手袋Ｘは、手袋１０、ライトユニット２０とから構成される。手袋１０は、指先が切断された一般的な手袋であり、皮革、合成皮革、ゴム、編み物などにより形成される。ライトユニット２０は手袋１０の甲に着脱可能に固定されている。
ライトユニット２０は、ケーシング２１、第一ライト２２、第二ライト２３、メインスイッチ２４、切り替えスイッチ２５、電池ボックス２６により構成される。ケーシング２１は、扁平な略直方体状のプラスチックにより形成されるケースであって、適宜曲線によりデザイン化されており、また、指先側がやや厚く形成されている。ケーシング２１は、ライトユニット２０の各パーツを完全防水の状態で封入する。第一ライト２２は、ケーシング２１の指先側の側面に２個設けられるものであって、砲弾型のＬＥＤとＬＥＤの背面側に設けられる反射板とによって、指先側に指向性のある光を照射する。
【０００９】
第二ライト２３は、ケーシング２１の上面、手首側に２個設けられる。図３に第二ライト２３の縦断面図を示す。第二ライト２３は、チップ型のＬＥＤ２３ａ、透明板２３ｂ、反射板２３ｃ、下部支持板２３ｄ、上面板２３ｅとから構成される。透明板２３ｂは円板状のやや厚いプラスチック製の透明な板体により構成される。反射板２３ｃは透明板２３ｂとほぼ同じ大きさの鏡面となるように磨かれた金属からなる円板であり中央に凹面鏡状に窪んだ凹部を有する。反射板２３ｃは２枚設けられ、凹部が互いに向かい合うように透明板２３ｂを狭持する。なお、下側の反射板２３ｃの凹部中央にはＬＥＤ２３ａが通る穴が形成されている。下部支持板２３ｄは、下側の反射板２３ｃの凹部が嵌る凹部が上面に形成され下面中央にＬＤＥ２３ａを固定する穴が形成された透明板２３ｂとほぼ同じ大きさのプラスチックの円板により形成され、ＬＥＤ２３ａ及び下側の反射板２３ｃを支持固定する。上面板２３は、上側の反射板２３ｃの凹部が嵌る凹部が下面に形成された透明板２３ｂとほぼ同じ大きさのプラスチックの円板により形成され、上側の反射板２３ｃの上面側を覆うように固定される。第二ライト２３はこのような構成により、ＬＥＤ２３ａの光を反射板２３ｃの間で反射させ、透明板２３ｂの側周端面から外部に拡散して照射する。
【００１０】
メインスイッチ２４は、防水用のゴムカバーに上面が覆われたボタンスイッチであり、第一ライト２２、第二ライト２３に通電するためのスイッチとなる。メインスイッチ２４は、ケーシング２１の上面、二つの第二ライト２３の間に設けられる。切り替えスイッチは、ケーシング２１の側面に設けられるスライドスイッチであり、第一ライト２２のみの点灯、第二ライト２３のみの点灯、両ライトの点灯を切り替えるものである。電池ボックスは、ケーシング２１内部に設けられ、第一ライト２２、第二ライト２３に電力を供給するための電池を保持する。
【００１１】
次に、以上のような構成を有するライト付き手袋Xの使用方法について説明する。使用者は手に手袋１０を装着し、メインスイッチ２４を入れる。次に、暗い場所を進む場合は、切り替えスイッチ２５を操作して、第二ライト２３を点灯させる。この際、状況に応じて第一ライト２２は点灯させてもさせなくてもよい。この状態で、第二ライト２３は手の甲に平行な方向に光を拡散させるので、手のひらを体側に向けておけば、手を下げた状態でも前方及び後方を照らすことができるの腕が疲れることがない。次に、何か特定の場所を明るく照らす必要が生じたときは、第一ライトが点灯していなければ切り替えスイッチ２５を操作して第一ライト２２を点灯させて、指側を特定の場所に向ける。第一ライト２２は指側に指向性がある光を照射するので、指側が向かう方向を明るく照らすことができる。
このようにライト付き手袋Ｘは、移動時に常に手を上げておく必要が無く、必要に応じて特定の場所を効率よく照らすことができる。
なお、上記実施形態では、左手用のライト付き手袋Ｘを示したが、右手用の手袋に採用できることは言うまでもない。また、第一ライト、第二ライトはＬＥＤを用いているが、ハロゲンランプなど他の光源を用いてもよい。
【符号の説明】
【００１２】
Ｘ  ライト付き手袋
１０  手袋
２０  ライトユニット
２１  ケーシング
２２  第一ライト
２３  第二ライト
２３ｂ  透明板
２３ｃ  反射板
２４  メインスイッチ
２５  切り替えスイッチ
２６  電池ボックス
【図１】
0003169266.tif 000003
【図２】
0003169266.tif 000004
【図３】
0003169266.tif 000005